(57)【要約】【課題】  簡単な構成でもって既設杭Ｐに対し十分な挟持力を発揮して、既設杭Ｐの抜き取りを確実に行うことができる杭抜き装置を提供する。【解決手段】  駆動部１ａを備え、その駆動で逆回転して土中に進入するケーシング１に、このケーシング１の正回転に伴い土圧が付加されることにより、ケーシング１の軸心方向に延びる第1軸２０を中心に水平方向に回動してケーシング１内に進出し、その内部の既設杭Ｐに噛み込む複数の挟持爪２を取り付けている。【選択図】      図３
2007120123.tif 000002
【特許請求の範囲】
【請求項１】
駆動部を備え、その駆動で逆回転して土中に進入するケーシングに、このケーシングの正回転に伴い土圧が付加されることにより、ケーシングの軸心方向に延びる第1軸を中心に水平方向に回動してケーシング内に進出し、その内部の既設杭に噛み込む複数の挟持爪が取り付けられている杭抜き装置。
【請求項２】
請求項１において、前記挟持爪は、ケーシングの軸心方向に延びる第１軸を中心に回動可能に支持された既設杭に噛み込む爪片と、ケーシングの外部に位置され、土圧を受けて爪片を回動させる作動片とを備えている杭抜き装置。
【請求項３】
駆動部を備えたケーシングに、請求項１記載の挟持爪とともに、ケーシングの正回転に伴いケーシング内に進出して、ケーシング内の既設杭に噛み込む複数の副挟持爪が取り付けられている杭抜き装置。
【請求項４】
請求項３において、前記副挟持爪は、ケーシングの軸心方向に延びる第２軸を中心に水平方向に回動してケーシングの内外方に進退可能に支持されている杭抜き装置。
【発明の詳細な説明】
【技術分野】
【０００１】
本発明は、市街地の再開発などに際して不要となった旧いコンクリート杭、木杭、鋼管杭などの既設杭を地中から抜き取るために用いられる杭抜き装置に関するものである。
【背景技術】
【０００２】
市街地の再開発などに際して更地とするためには、コンクリート杭などの旧い既設杭を地中から抜き取る必要がある。従来は、機械力により既設杭を抜き取る杭抜き装置が提案されている。この杭抜き装置は、内筒及びこれに挿嵌される外筒と、これら内，外筒の間に取り付けられて、内筒に対し外筒を進出させるシリンダと、内筒に取り付けられ、シリンダの動作に伴う外筒の進出により作動する把持機構とを備えている。また、把持機構は、内筒の下部側にその軸心方向に対して直交方向に延びる回転軸に上下方向に向いた姿勢で取り付けられ、シリンダの動作に伴う外筒の下動により内筒内に進出する板状の把持部材を備えている（特許文献１）。そして、既設杭を抜き取るときには、既設杭の周りに内，外筒を挿嵌させた後、シリンダの動作で外筒を内筒に対し下降させ、これに伴い外筒の先端で把持部材を押動して、その先端を回転軸を中心に内筒の内方へと進出させ、この把持部材の先端を内筒内の既設杭に押し付けて挟持する。この後、内，外筒の全体を既設杭とともに上方に持ち上げて、既設杭の抜き取りを行う。
【特許文献１】特開２００１―１６４５７２号公報
【発明の開示】
【発明が解決しようとする課題】
【０００３】
しかし、従来の杭抜き装置では、前記把持部材で既設杭を把持するために内筒に対し外筒を下降させるのにシリンダが用いられているため、このシリンダに給排する圧力油の複雑な配管が必要となる。また、前記外筒は地中において全面が土壌に接触した状態で下降されるので、シリンダに極めて大きな動力が必要となって、コストが高く付くだけではなく、地域住民に対する騒音の問題も発生する。しかも、前記把持機構の把持部材は、前記内筒の軸心方向に対して直交方向に延びる回転軸に上下方向を向いた姿勢で取り付けられ、この回転軸を中心に内筒内に向かって進出させることにより既設杭を把持するために、既設杭に対する挟持力が十分とは言いにくく、抜き取り時に既設杭に対し把持部材が外方に逃げる方向に勝手に回転し把持力を損なったりすることがあって信頼性に乏しい。
【０００４】
そこで、本発明は、簡単な構成でもって既設杭に対し十分な挟持力を発揮して、既設杭の抜き取りを確実に行うことができる杭抜き装置を提供することを目的としている。
【課題を解決するための手段】
【０００５】
上記目的を達成するために、本発明の第1の構成にかかる杭抜き装置は、駆動部を備え、その駆動で逆回転して土中に進入するケーシングに、このケーシングの正回転に伴い土圧が付加されることにより、ケーシングの軸心方向に延びる第1軸を中心に水平方向に回動してケーシング内に進出し、その内部の既設杭に噛み込む複数の挟持爪を取り付けている。
【０００６】
既設杭を抜き取るときには、ケーシングを既設杭の周りに逆回転させながら挿嵌させた後、ケーシングを正回転させる。すると、ケーシングの正回転により複数の挟持爪が土圧を受けて、ケーシングの軸心方向に延びる第1軸を中心に水平方向に回動してケーシング内に進出し、ケーシング内に位置する既設杭に噛み込む。この挟持爪を噛み込ませた状態でケーシングを土中から引き上げることにより、既設杭の抜き取りが行われる。このとき、既設杭に挟持爪を噛み込ませるに際しては、ケーシングの正回転により挟持爪を水平方向に回動させ、ケーシング内に進出させて既設杭に噛み込せるようにしているため、従来の場合のように、大型シリンダなどを用いる必要はない。また、前記挟持爪は、前記ケーシングの軸心方向に延びる第1軸を中心に水平方向に回動してケーシング内に進出することにより既設杭を挟持するように構成されているために、抜き取り時に挟持爪が滑ったりすることなく、既設杭に対し十分な挟持力を発揮して、既設杭の抜き取りが確実に行える。
【０００７】
この発明の好ましい実施形態では、前記挟持爪が、ケーシングの軸心方向に延びる第１軸を中心に回動可能に支持された既設杭に噛み込む爪片と、ケーシングの外部に位置され、土圧を受けて爪片を回動させる作動片とを備えている。この構成の挟持爪により、既設杭に対し十分な挟持力を発揮させて、既設杭の抜き取りがより確実に行える。
【０００８】
本発明の第２の構成にかかる杭抜き装置は、駆動部を備えたケーシングに、請求項１記載の挟持爪とともに、ケーシングの正回転に伴いケーシング内に進出して、ケーシング内の既設杭に噛み込む複数の副挟持爪が取り付けられている。
【０００９】
この第２の構成の杭抜き装置で既設杭を抜き取るときには、請求項１記載の挟持爪を既設杭に噛み込ませるとともに、前記ケーシングの正回転により副挟持爪をケーシング内に進出させてケーシング内の既設杭に噛み込ませて、この状態でケーシングを土中から引き上げることにより、既設杭の抜き取りが行われる。このように複数の挟持爪と複数の副挟持爪により、既設杭の２箇所を挟持して抜き取りを行うことにより、既設杭の抜き取りがより確実に行える。
【００１０】
この発明の好ましい実施形態では、前記副挟持爪が、ケーシングの軸心方向に延びる第２軸を中心に水平方向に回動してケーシングの内外方に進退可能に支持されている。この構成の副挟持爪により、既設杭に対し十分な挟持力を発揮させて、既設杭の抜き取りがより確実に行える。
【発明の効果】
【００１１】
以上の杭抜き装置によれば、簡単な構成でもって既設杭に対し十分な挟持力を発揮して、既設杭の抜き取りを確実に行うことができる。
【発明を実施するための最良の形態】
【００１２】
以下、本発明にかかる杭抜き装置を図面に基づいて説明する。図１は本発明一実施形態にかかる杭抜き装置ＰＯの全体構造を示す側面図、図２は杭抜き装置ＰＯにより既設杭Ｐを抜き取るときの状態を示す側図面である。この図では、クローラ式自走車Ｃの前方に支持アームＡとバックステーＢを介してリーダーＬを取り付け、このリーダーＬに杭抜き装置ＰＯを支持させている。この杭抜き装置ＰＯは、図の矢印ａ方向に逆回転させることにより土壌Ｅ内の既設杭Ｐの周りに進入して挿嵌される。
【００１３】
図３は前記杭抜き装置ＰＯの要部を拡大して示す正面図，図４はその縦断面図である。この杭抜き装置ＰＯは、図１のように、互いに上下連接される複数の金属製ケーシング１を備え、その最上部側ケーシング１の上端部に、ケーシング１を正，正回転させて土壌Ｅ内に進退出させる駆動部１ａが取り付けられ、また、最下部側ケーシング１の下方位置に複数の金属製の挟持爪２が、その上方位置に複数の金属製の副挟持爪３がそれぞれ設けられている。前記最下部側ケーシング１は、第１筒体１１と、その外周囲に挿嵌させて連結した第２筒体１２との二つの部材からなり、この第２筒体１２に前記挟持爪２と副挟持爪３が取り付けられ、前記第1及び第２筒体１１，１２の連結部位の外周囲には、第１筒体１１の回転動力を副挟持爪３に伝達して回動させるための第３筒体１３が取り付けられている。
【００１４】
図５，図６は図３のＸ−Ｘ線及びＹ−Ｙ線方向から見た平断面図、図７，図８は挟持爪２と副挟持爪３が図５，図６の状態から移動した状態を示す平断面図である。前記挟持爪２は、図５，図７のように、第２筒体１２の壁部に取り付けられ、既設杭Ｐに噛み込む水平方向に延びる爪片２１と、この爪片２１の近くに位置し、前記第２筒体１２を図7の矢印ｂ方向に正回転させたときに土圧を受けて爪片２１を既設杭Ｐ側に回動させる上下方向に延びる作動片２２とを備えている。
【００１５】
前記爪片２１を第２筒体１２に支持させるにあたっては、図３のように、第２筒体１２における爪片２１の取付部位に周方向に長い角孔状の取付孔１２ａを形成して、これの外周囲で第２筒体１２の外側に取付孔１２ａとほぼ同形で下方一部が開放された金属製のカバー２３を溶接により一体に取り付けるとともに、このカバー２３に前記爪片２１を第２筒体１２の軸心方向に延びる第１軸２０を介して取付孔１２ａから内外に進退可能に支持させる。図の実施形態では、前記爪片２１を爪片本体２１ａとこれを支持する支持体２１ｂとの２部材に分割形成し、この支持体２１ｂに爪片本体２１ａを複数のボルト２１ｃで固定し、前記支持体２１ｂを第１軸２０により前記カバー２３の内部に支持させている。このように、前記爪片２１を爪片本体２１ａと支持体２１ｂとの２つの部材で形成することにより、例えば爪片本体２１ａが破損したときの交換が簡単に行え、また、全部材を交換する場合に比べてコストが安くなる。
【００１６】
また、前記作動片２２は、図３のように、前記カバー２３の内部で爪片２１の支持体２１ｂの背後に位置される押し当て部２２ａと、これと一体に形成され、カバー２３の下方開放部から下方に延出されて土圧を直接受ける受部２２ｂとからなり、前記押し当て部２２ａの上下方向中間部を前記第２筒体１２の軸心方向と直交方向に延びる回転軸２２ｃを中心に回動可能に支持させている。
【００１７】
一方、前記副挟持爪３は、図６，図８のように、既設杭Ｐに噛み込む爪片３１と、これと一体に設けられ、前記第３筒体１３で押圧されて爪片３１を回動させる作動片３２とからなり、これら爪片３１と作動片３２の中間部位が前記第２筒体１２に形成した取付孔１２ｂに第２筒体１２の軸心方向に延びる第２軸３０を介して回転可能に支持されている。
【００１８】
前記第１筒体１１からの回転動力により副挟持爪３を回転させるにあたって、図の実施形態では、次のようにしている。即ち、図４のように、第２筒体１２の周壁上部に周方向に長い角孔１２ｃを複数形成するとともに、第１筒体１１の外周壁に前記角孔１２ｃよりも狭い幅で、この角孔１２ｃにそれぞれ係合する複数の角駒１５を一体に固定し、この角駒１５の外周囲に第４筒体１４を挿嵌し、さらに、この第４筒体１４の外周囲に前記第３筒体１３を挿嵌させて、第１筒体１１、角駒１５、第４筒体１４、第３筒体１３をそれぞれ一体に固定している。また、前記第３筒体１３の下方位置には、周方向に長い角孔１３ａが形成され、この角孔１３ａに前記副挟持爪３の作動片３２が突入されている。
【００１９】
そして、前記駆動部１ａで第１筒体１１を正回転させることにより、その外周囲の角駒１５と第４筒体１４及び第３筒体１３を正回転させ、この第３筒体１３に形成した角孔１３ａの端縁により副挟持爪３の作動片３２を押圧し、その爪片３１の先端を第２軸３０を中心に回動させて第２筒体１２に形成した取付孔１２ｂから径方向内方へと進出させる。
【００２０】
各図の実施形態では、前記第２筒体１２の下方先端に、また、挟持爪２と副挟持爪３の間で第２筒体１２の外周囲に、それぞれ複数の掘削ビット１６を固定し、これらの掘削ビット１６により土壌Ｅを掘削しながらケーシング１を土壌内に進入させるようにしている。
【００２１】
次に、以上の構成とした杭抜き装置ＰＯを用いて既設杭Ｐを抜き取るときの手順について説明する。先ず、図１のように、土壌Ｅ内に埋設された既設杭Ｐの真上に杭抜き装置ＰＯを位置させて、その駆動部１ａで各ケーシング１を矢印ａ方向に逆回転させることにより既設杭Ｐの周りに進入させて挿嵌する。即ち、ケーシング１の第１筒体１１の逆回転に伴いその外周囲に設けられた角駒１５が第２筒体1２の角孔１２ｃ内で移動して、この角孔１２ｃの端縁を角駒１５が押圧することにより、第２筒体１２が逆回転されて土壌Ｅ内に進入する。このとき、前記第４筒体１４及び第３筒体１３も第１筒体１１に追従して逆回転される。また、このとき、前記第２筒体１２に設ける挟持爪２の作動片２２は、図３の反矢印ｃ方向への土圧を受けて、その爪片２１を押動することはなく、つまり爪片２１を第２筒体１２の内方へと進出させることはないので、図５のように、爪片２１はカバー２３内に収納され、第２筒体１２に後退状態に保持される。一方、第２筒体１２の副挟持爪３も、第２筒体１２に追従して第３筒体１３がａ方向に回転しているときは、図６のように、爪片３１が第２筒体１２の取付孔１２ｂの内部に後退状態で保持される。
【００２２】
この後、図２のように、杭抜き装置ＰＯの各ケーシング１が駆動部1ａにより矢印ｂ方向に正回転されて、既設杭Ｐの抜き取りが行われる。このとき、ケーシング１がｂ方向に正回転されると、その第１筒体１１〜第３筒体１３が共に同方向に回転される。つまり、第1筒体１１の正回転に伴い、その外周囲の角駒１５が第２筒体1２の角孔１２ｃ内で前記逆回転時とは逆方向に移動して、この角孔１２ｃの他の端縁を角駒１５が押圧することにより、第４筒体１４及び第３筒体１３を介して第２筒体１２が正回転される。この第２筒体１２の正回転に伴い挟持爪２を構成する作動片２２の受部２２ｂが、図３の矢印ｃ方向から土圧を受けて、受部２２ｂの上部の押し当て部２２ａが回転軸２２ｃを中心に逆ｃ方向に回動される。そして、前記押し当て部２２ａにより爪片２１が、図７のように、ケーシング１の軸心方向に延びる第１軸２０を中心に水平方向に回動されて、爪片２１の爪片本体２１ａが各筒体１１〜１３内の既設杭Ｐに噛み込む。
【００２３】
このとき、既設杭Ｐに挟持爪２の爪片２１を噛み込ませるに際しては、ケーシング１の正回転により爪片２１を第１軸２０を中心に水平方向に回動させ、第２筒体１２内へと進出せて既設杭Ｐに噛み込せるようにしているため、従来の場合のように、大型シリンダなどを用いる必要はない。また、前記挟持爪２は、前記ケーシング１の軸心方向に延びる第1軸２０を中心に水平方向に回動させ、これにより爪片２１を既設杭Ｐに噛み込ませて挟持するように構成されているために、抜き取り時に既設杭Ｐに対し挟持爪２が外方に逃げたりすることなく、既設杭Ｐに対し十分な挟持力を発揮して、既設杭Ｐの抜き取りが確実に行える。
【００２４】
また、これと同時に第２筒体１２の副挟持爪３は、第３筒体１３がｂ方向に正回転されることにより、図８のように、第３筒体１３に形成した角孔１３ａの端縁により作動片３２が押圧され、その爪片３１の先端が第２軸３０を中心に水平方向に回動されて第２筒体１２に形成した取付孔１２ｂから径方向内方へと進出されて、各筒体１１〜１３内の既設杭Ｐに噛み込む。
【００２５】
以上のように、挟持爪２と副挟持爪３を既設杭Ｐに噛み込ませた後に、図２のように、駆動部１ａでケーシング１を矢印ｂ方向に正回転させて、このケーシング１を土壌Ｅから引き上げることにより既設杭Ｐがケーシング１と共に抜き取られる。以上の実施形態のように、既設杭Ｐの２箇所を複数の挟持爪２と複数の副挟持爪３により挟持して既設杭Ｐの抜き取りを行うことにより、その作業が確実に行える。
【図面の簡単な説明】
【００２６】
【図１】本発明の一実施形態にかかる杭抜き装置の全体構造を示す側面図である。
【図２】杭抜き装置により既設杭を抜き取るときの状態を示す側図面である。
【図３】杭抜き装置の要部を拡大して示す正面図である。
【図４】その縦断面図である。
【図５】図２のＸ−Ｘ線方向から見た平断面図である。
【図６】図２のＹ−Ｙ線方向から見た平断面図である。
【図７】挟持爪と副挟持爪が図５の状態から移動した状態を示す平断面図である。
【図８】挟持爪と副挟持爪が図６の状態から移動した状態を示す平断面図である。
【符号の説明】
【００２７】
１    ケーシング
１ａ  駆動部
２    挟持爪
２０  第１軸
２１  爪片
２２  受片
３    副挟持爪
３０  第２軸
Ｐ    既設杭
【図１】
2007120123.tif 000003
【図２】
2007120123.tif 000004
【図３】
2007120123.tif 000005
【図４】
2007120123.tif 000006
【図５】
2007120123.tif 000007
【図６】
2007120123.tif 000008
【図７】
2007120123.tif 000009
【図８】
2007120123.tif 000010